(57)【要約】【課題】着信メロディ等の発着信・送受信時再生データの保存先を選択でき、携帯端末の記憶容量を増加することなく多くのデータを利用できるシステム、また、利用したいデータが携帯端末に保存されている場合は、再生する際にサーバからデータをダウンロードする必要がないため、通信料がかからないデータ保存システム、データ再生システム、データ保存・再生システム及び携帯端末を提供する。【解決手段】  携帯端末１は、ユーザによりキー入力部１４から入力された着信メロディ配信要求を受けると、着信メロディ配信サイト６に対して着信メロディの配信を要求する。配信サイト６から配信された着信メロディの保存先を、ネットワークを介したサーバ若しくは携帯端末１の記憶手段（着信メロディ格納部１１）から選択し、保存する。【選択図】図２
2008109226.tif 000002
【特許請求の範囲】
【請求項１】
携帯端末と、ネットワークセンタと、サーバと、発着信・送受信時再生データを配信する配信サイトと、がネットワークを介して接続されるデータ保存システムであって、
前記配信サイトは、
前記携帯端末からの発着信・送受信時再生データ配信要求を受信する配信要求受信手段と、
前記配信要求受信手段に従い、要求された発着信・送受信時再生データを送信する送信手段と、を有し、
前記サーバは、前記発着信・送受信時再生データを記憶する記憶手段を有し、
前記携帯端末は、
前記発着信・送受信時再生データを記憶する記憶手段と、
前記発着信・送受信時再生データを記憶する場所を選択する選択手段と、
前記選択の結果を前記ネットワークセンタに送信する選択結果送信手段と、を有し、
前記ネットワークセンタは、
前記携帯端末から前記選択結果を受信する選択結果受信手段と、
前記選択結果に従い、選択された場所に前記発着信・送受信時再生データを送信するデータ送信手段と、を有することを特徴とするデータ保存システム。
【請求項２】
前記選択手段により選択する記憶する場所は、前記サーバが有する記憶手段のみ、前記携帯端末が有する記憶手段のみ、又は前記サーバが有する記憶手段及び前記携帯端末が有する記憶手段であることを特徴とする請求項１記載のデータ保存システム。
【請求項３】
前記データ送信手段は、前記選択結果が、前記サーバが有する記憶手段及び前記携帯端末が有する記憶手段に、前記発着信・送受信時再生データを記憶することである時、前記発着信・送受信時再生データの一部を前記携帯端末に送信し、前記発着信・送受信時再生データの全てを前記サーバに送信することを特徴とする請求項２記載のデータ保存システム。
【請求項４】
前記発着信・送受信時再生データは、着信メロディ、歌、画像のいずれかであることを特徴とする請求項１から３のいずれか１項記載のデータ保存システム。
【請求項５】
携帯端末と、サーバと、がネットワークを介して接続されるデータ再生システムであって、
前記サーバは、発着信・送受信時再生データを記憶する記憶手段を有し、
前記携帯端末は、
前記発着信・送受信時再生データを記憶する記憶手段と、
前記発着信・送受信時再生データの名称と、前記発着信・送受信時再生データが記憶されている場所と、を対応付けた一覧として記憶する一覧記憶手段と、
前期一覧表を参照する一覧参照手段と、
前記発着信・送受信時再生データを再生する要求があった時に、前記一覧表を参照し、再生要求のある発着信・送受信時再生データが記憶されている場所が、前記サーバの記憶手段である時、前記サーバの記憶手段から前記発着信・送受信時再生データを取得するデータ取得手段と、
前記取得した発着信・送受信時再生データを一時的に記憶する一時記憶手段と、
前記携帯端末の記憶手段又は前記一時記憶手段に記憶されている発着信・送受信時再生データを再生する再生手段と、を有することを特徴とするデータ再生システム。
【請求項６】
前記再生手段は、前記再生要求のある発着信・送受信時再生データの一部が前記携帯端末の記憶手段に記憶されている時は、前記データ取得手段により取得している間に、前記発着信・送受信時再生データの一部を再生することを特徴とする請求項５記載のデータ再生システム。
【請求項７】
前記発着信・送受信時再生データは、着信メロディ、歌、画像のいずれかであることを特徴とする請求項５又は６記載のデータ再生システム。
【請求項８】
前記一覧記憶手段は、前記再生手段により再生された回数も、前記発着信・送受信時再生データの名称に対応付けて記憶し、
さらに、前記再生された回数に応じて前記携帯端末の記憶手段に記憶されている発着信・送受信時再生データの削除、追加を行う管理手段を有することを特徴とする請求項５から７のいずれか１項記載のデータ再生システム。
【請求項９】
携帯端末と、ネットワークセンタと、サーバと、発着信・送受信時再生データを配信する配信サイトと、がネットワークを介して接続されるデータ保存・再生システムであって、
前記配信サイトは、
前記携帯端末からの発着信・送受信時再生データ配信要求を受信する配信要求受信手段と、
前記配信要求受信手段に従い、要求された発着信・送受信時再生データを送信する送信手段と、を有し、
前記サーバは、前記発着信・送受信時再生データを記憶する記憶手段を有し、
前記ネットワークセンタは、
前記携帯端末から前記選択結果を受信する選択結果受信手段と、
前記選択結果に従い、選択された場所に前記発着信・送受信時再生データを送信するデータ送信手段と、を有し、
前記携帯端末は、
前記発着信・送受信時再生データを記憶する記憶手段と、
前記発着信・送受信時再生データを記憶する場所を選択する選択手段と、
前記選択の結果を前記ネットワークセンタに送信する選択結果送信手段と、
前記発着信・送受信時再生データの名称と、前記発着信・送受信時再生データが記憶されている場所と、を対応付けた一覧として記憶する一覧記憶手段と、
前期一覧表を参照する一覧参照手段と、
前記発着信・送受信時再生データを再生する要求があった時に、前記一覧表を参照し、再生要求のある発着信・送受信時再生データが記憶されている場所が、前記サーバの記憶手段である時、前記サーバの記憶手段から前記発着信・送受信時再生データを取得するデータ取得手段と、
前記取得した発着信・送受信時再生データを一時的に記憶する一時記憶手段と、
前記携帯端末の記憶手段又は前記一時記憶手段に記憶されている発着信・送受信時再生データを再生する再生手段と、を有することを特徴とするデータ保存・再生システム。
【請求項１０】
発着信・送受信時再生データを記憶する記憶手段と、
前記発着信・送受信時再生データを記憶する場所を選択する選択手段と、
前記選択の結果を送信する選択結果送信手段と、
前記発着信・送受信時再生データの名称と、前記発着信・送受信時再生データが記憶されている場所と、を対応付けた一覧として記憶する一覧記憶手段と、
前期一覧表を参照する一覧参照手段と、
前記発着信・送受信時再生データを再生する要求があった時に、前記一覧表を参照し、再生要求のある発着信・送受信時再生データが記憶されている場所が、前期記憶手段以外である時、再生要求のある発着信・送受信時再生データが記憶されている場所から前記発着信・送受信時再生データを取得するデータ取得手段と、
前記取得した発着信・送受信時再生データを一時的に記憶する一時記憶手段と、
前記携帯端末の記憶手段又は前記一時記憶手段に記憶されている発着信・送受信時再生データを再生する再生手段と、を有することを特徴とする携帯端末。
【発明の詳細な説明】
【技術分野】
【０００１】
本発明は、データ保存システム、データ再生システム、データ保存・再生システム及び携帯端末に関し、特にデータ保存先を選択できるデータ保存システム、データ再生システム、データ保存・再生システム及び携帯端末に関する。
【背景技術】
【０００２】
近年、携帯電話に代表される携帯端末は普及し、様々な機能を有するようになった。特に、メール受信や電話着信の際に、受信した旨をメロディで伝える「着メロ（登録商標）」のニーズは高く、このような着信メロディのデータを、ネットワークを通じて配信する着信メロディ配信サービス業者が増加している。また昨今では着信メロディの他、歌が入った「着うた（登録商標）」、電話の発着信やメールの送受信時に、画面に表示する画像を提供する「着アニメ」「着Ｆｌａｓｈ（登録商標）」も配信されている。このように、電話の発着信、メールの送受信時に再生するデータ（本明細書では、発着信・送受信時再生データと称す）は様々有る。
【０００３】
ユーザによっては、特定の端末からの受信であることが容易に分かるように、端末毎に異なる着信メロディ等を使用する場合が多い。また、同じ端末からであっても、メール受信なのか電話の着信なのかを区別するために、着信メロディ等を異なる設定にしている場合が多い。従って、ユーザは、より多くの種類のメロディデータ等をダウンロードし、様々なシーンに応じて使い分けることが可能な携帯端末を要望する。
【０００４】
ここで、多くの着信メロディ等のデータを保存する場合や、着信メロディ等のデータ配信サービスの進展に伴ってデータサイズが大きくなる場合が必然的に考えられる。このような場合に応じて、携帯電話の記憶容量を増やすことが必要となるが、携帯電話の重量が増すのは好ましくない。
【０００５】
そこで、携帯電話の記憶容量を増大させることなく、着信メロディのデータを携帯電話の外のサーバに保存した上で、着信があった場合に、着信メロディのデータを、サーバから受信して、当該着信メロディを再生する着信メロディ保存・再生方法及びシステムが提案されている（例えば特許文献１参照）。かかる従来技術のシステム構成を図７に示す。
【０００６】
図７に示すように、携帯端末２０、無線基地局２、ネットワークセンタ３、サーバ４、ネットワーク５、着信メロディ配信サイト６から構成される。着信メロディ配信サイト６は、着信メロディのデータを配信する。
【０００７】
携帯端末２０のブロック構成図を図８に示す。携帯端末２０は、マイクロコンピュータ２２、一時着信メロディ格納部２３、キー入力部２４、着信メロディ再生部２５、画像表示部２６、送受信部２７、アンテナ２８から構成される。一時着信メロディ格納部２３は、着信メロディのデータを一時的に保存する。
【０００８】
上記構成により、携帯端末２０は、無線基地局２及びネットワークセンタ３及びネットワーク５を介して、着信メロディ配信サイト６に対して着信メロディの配信を要求する。要求に応じて、着信メロディ配信サイト６から配信された着信メロディは、ネットワーク３の制御により、サーバ４に送信され、サーバ４の記憶部（図示せず）に保存される。サーバ４に保存された着信メロディを携帯端末２０で再生する際は、無線基地局２及びネットワークセンタ３を介してサーバ４に接続し、着信メロディのデータをダウンロードする。ダウンロードしたデータは、携帯端末２０内の一時着信メロディ格納部２３に一時的に格納され、着信メロディ再生部２５で、着信メロディが再生される。
【特許文献１】特開２００４−１５３５２５号公報
【発明の開示】
【発明が解決しようとする課題】
【０００９】
しかしながら、上記説明した従来の着信メロディ保存システムにおいては、全ての着信メロディがサーバに保存されているため、携帯端末が着信メロディを使用する時、常にサーバからダウンロードする必要があり、通信料が増大してしまうという不都合がある。
【００１０】
本発明はこのような状況に鑑みてなされたものであり、ユーザが任意に着信メロディの保存先を選択べるようにし、着信メロディを使用する時、常にサーバから着信メロディをダウンロードする必要がないようにする保存システムを提供することを目的とする。
【課題を解決するための手段】
【００１１】
請求項１記載の発明は、携帯端末と、ネットワークセンタと、サーバと、発着信・送受信時再生データを配信する配信サイトと、がネットワークを介して接続されるデータ保存システムであって、前記配信サイトは、前記携帯端末からの発着信・送受信時再生データ配信要求を受信する配信要求受信手段と、前記配信要求受信手段に従い、要求された発着信・送受信時再生データを送信する送信手段と、を有し、前記サーバは、前記発着信・送受信時再生データを記憶する記憶手段を有し、前記携帯端末は、前記発着信・送受信時再生データを記憶する記憶手段と、前記発着信・送受信時再生データを記憶する場所を選択する選択手段と、前記選択の結果を前記ネットワークセンタに送信する選択結果送信手段と、を有し、前記ネットワークセンタは、前記携帯端末から前記選択結果を受信する選択結果受信手段と、前記選択結果に従い、選択された場所に前記発着信・送受信時再生データを送信するデータ送信手段と、を有することを特徴とするデータ保存システムである。
【００１２】
請求項２記載の発明は、請求項１記載のシステムにおいて、前記選択手段により選択する記憶する場所は、前記サーバが有する記憶手段のみ、前記携帯端末が有する記憶手段のみ、又は前記サーバが有する記憶手段及び前記携帯端末が有する記憶手段であることを特徴とする。
【００１３】
請求項３記載の発明は、請求項２記載のシステムにおいて、前記データ送信手段は、前記選択結果が、前記サーバが有する記憶手段及び前記携帯端末が有する記憶手段に、前記発着信・送受信時再生データを記憶することである時、前記発着信・送受信時再生データの一部を前記携帯端末に送信し、前記発着信・送受信時再生データの全てを前記サーバに送信することを特徴とする。
【００１４】
請求項４記載の発明は、請求項１から３のいずれか１項記載のシステムにおいて、前記発着信・送受信時再生データは、着信メロディ、歌、画像のいずれかであることを特徴とする。
【００１５】
請求項５記載の発明は、携帯端末と、サーバと、がネットワークを介して接続されるデータ再生システムであって、前記サーバは、発着信・送受信時再生データを記憶する記憶手段を有し、前記携帯端末は、前記発着信・送受信時再生データを記憶する記憶手段と、前記発着信・送受信時再生データの名称と、前記発着信・送受信時再生データが記憶されている場所と、を対応付けた一覧として記憶する一覧記憶手段と、前期一覧表を参照する一覧参照手段と、前記発着信・送受信時再生データを再生する要求があった時に、前記一覧表を参照し、再生要求のある発着信・送受信時再生データが記憶されている場所が、前記サーバの記憶手段である時、前記サーバの記憶手段から前記発着信・送受信時再生データを取得するデータ取得手段と、前記取得した発着信・送受信時再生データを一時的に記憶する一時記憶手段と、前記携帯端末の記憶手段又は前記一時記憶手段に記憶されている発着信・送受信時再生データを再生する再生手段と、を有することを特徴とするデータ再生システムである。
【００１６】
請求項６記載の発明は、請求項５記載のシステムにおいて、前記再生手段は、前記再生要求のある発着信・送受信時再生データの一部が前記携帯端末の記憶手段に記憶されている時は、前記データ取得手段により取得している間に、前記発着信・送受信時再生データの一部を再生することを特徴とする。
【００１７】
請求項７記載の発明は、請求項５又は６記載のシステムにおいて、前記発着信・送受信時再生データは、着信メロディ、歌、画像のいずれかであることを特徴とする。
【００１８】
請求項８記載の発明は、請求項５から７のいずれか１項記載のシステムにおいて、前記一覧記憶手段は、前記再生手段により再生された回数も、前記発着信・送受信時再生データの名称に対応付けて記憶し、さらに、前記再生された回数に応じて前記携帯端末の記憶手段に記憶されている発着信・送受信時再生データの削除、追加を行う管理手段を有することを特徴とする。
【００１９】
請求項９記載の発明は、携帯端末と、ネットワークセンタと、サーバと、発着信・送受信時再生データを配信する配信サイトと、がネットワークを介して接続されるデータ保存・再生システムであって、前記配信サイトは、前記携帯端末からの発着信・送受信時再生データ配信要求を受信する配信要求受信手段と、前記配信要求受信手段に従い、要求された発着信・送受信時再生データを送信する送信手段と、を有し、前記サーバは、前記発着信・送受信時再生データを記憶する記憶手段を有し、前記ネットワークセンタは、前記携帯端末から前記選択結果を受信する選択結果受信手段と、前記選択結果に従い、選択された場所に前記発着信・送受信時再生データを送信するデータ送信手段と、を有し、前記携帯端末は、前記発着信・送受信時再生データを記憶する記憶手段と、前記発着信・送受信時再生データを記憶する場所を選択する選択手段と、前記選択の結果を前記ネットワークセンタに送信する選択結果送信手段と、前記発着信・送受信時再生データの名称と、前記発着信・送受信時再生データが記憶されている場所と、を対応付けた一覧として記憶する一覧記憶手段と、前期一覧表を参照する一覧参照手段と、前記発着信・送受信時再生データを再生する要求があった時に、前記一覧表を参照し、再生要求のある発着信・送受信時再生データが記憶されている場所が、前記サーバの記憶手段である時、前記サーバの記憶手段から前記発着信・送受信時再生データを取得するデータ取得手段と、前記取得した発着信・送受信時再生データを一時的に記憶する一時記憶手段と、前記携帯端末の記憶手段又は前記一時記憶手段に記憶されている発着信・送受信時再生データを再生する再生手段と、を有することを特徴とするデータ保存・再生システムである。
【００２０】
請求項１０記載の発明は、発着信・送受信時再生データを記憶する記憶手段と、前記発着信・送受信時再生データを記憶する場所を選択する選択手段と、前記選択の結果を送信する選択結果送信手段と、前記発着信・送受信時再生データの名称と、前記発着信・送受信時再生データが記憶されている場所と、を対応付けた一覧として記憶する一覧記憶手段と、前期一覧表を参照する一覧参照手段と、前記発着信・送受信時再生データを再生する要求があった時に、前記一覧表を参照し、再生要求のある発着信・送受信時再生データが記憶されている場所が、前期記憶手段以外である時、再生要求のある発着信・送受信時再生データが記憶されている場所から前記発着信・送受信時再生データを取得するデータ取得手段と、前記取得した発着信・送受信時再生データを一時的に記憶する一時記憶手段と、前記携帯端末の記憶手段又は前記一時記憶手段に記憶されている発着信・送受信時再生データを再生する再生手段と、を有することを特徴とする携帯端末である。
【発明の効果】
【００２１】
本発明によれば、着信メロディ等の発着信・送受信時再生データの保存先を、内部又は外部で選択出来るため、携帯端末の記憶容量を増加することなく多くのデータを利用できるシステム、また、利用したいデータが携帯端末に保存されている場合は、再生する際にサーバからデータをダウンロードする必要がないため、通信料がかからないシステムを提供することが出来る。
【発明を実施するための最良の形態】
【００２２】
以下に、本発明の実施形態に係る着信メロディ保存システムを、図面を用いて詳細に説明する。なお、以下に述べる実施の形態は、本発明の好適な実施の形態であるため、技術的に好ましい種々の限定が付されているが、本発明の範囲は、以下の説明において特に本発明を限定する旨の記載がない限り、これらの態様に限られるものではない。また、発着信・送受信時再生データは、着信メロディ、歌、画像等様々あるが、本実施形態では一例として「着信メロディのデータ」を用いて説明する。
【００２３】
図１は、本発明の実施形態に係る着信メロディ保存システムの構成図である。図１を参照すると、本システムは、携帯端末１、無線基地局２、ネットワークセンタ３、サーバ４、着信メロディ配信サイト６から構成される。各構成について以下説明する。
【００２４】
携帯端末１は、無線基地局２を通してネットワークセンタ３に接続される。なお、携帯端末１と、無線基地局２は、各種データの送受信の際に受け取った信号を無線電波として送出するアンテナを有する。
【００２５】
サーバ４は、直接ネットワークセンタ３に接続される。サーバ４は、着信メロディを保管する。例えば、ハードディスクや半導体メモリ等により構成され、記憶手段としての機能を持つ。
【００２６】
ネットワークセンタ３は、無線基地局２とサーバ４との間に入り、データの流れを制御する制御手段としての機能を有する。これにより、携帯端末１は無線基地局２とネットワークセンタ３を介してサーバ４との情報の送受信が可能となる。
【００２７】
着信メロディ配信サイト６は、ネットワーク５を介してネットワークセンタ３と接続される。これにより、サーバ４はネットワークセンタ３とネットワーク５を介して着信メロディ配信サイト６との情報の送受信が可能となる。着信メロディ配信サイト６は、多数の着信メロディを保存しており、ネットワーク５を介して携帯端末１に着信メロディを配信する機能を有する。
【００２８】
ネットワーク５は、一般的なネットワークの構成であり、例えば、インターネット等であるが、特にインターネットに限定されるものではない。
【００２９】
次に、携帯端末１の構成について説明する。本実施形態は、特に携帯端末１の構成に特徴を有する。図２は、本実施形態に係る携帯端末１の構成を示す図である。携帯端末１は、図２に示すように、マイクロコンピュータ（演算処理をするＭＰＵ(Micro Processing Unit)とメモリを1チップに集積したIC）１０、着信メロディ格納部１１、一時着信メロディ格納部１２、着信メロディ一覧格納部１３、キー入力部１４、着信メロディ再生部１５、画像表示部１６、送受信部１７、アンテナ１８から構成される。各構成について以下説明する。
【００３０】
着信メロディ格納部１１は、着信メロディを保存する。キー入力部１４は、マイクロコンピュータ１０に各種命令を入力する。着信メロディ再生部１５は、着信メロディを再生出力する。表示部１６は、各種制御状況を表示する。送受信部１７は、無線基地局２とデータの送受信を行い、この際アンテナ１８は送受信部１７からの信号を電波として出力する。
【００３１】
マイクロコンピュータ１０には、キー入力部１４と着信メロディ再生部１５と画像表示部１６と送受信部１７が接続されており、前述した各種データの入出力制御の他に、送受信部１７からの各種データの送受信の制御や、キー入力部１４からの入力情報による制御や、着信メロディ再生部１５での着信メロディの再生に関する制御を行い、それらの結果を画像表示部１６に表示するための制御を行う。
【００３２】
キー入力部１４は、例えば押下するボタン型や回転可能であるダイヤル型等であるが、特にこれらに限定されるものではない。着信メロディを着信メロディ配信サイト６からダウンロードする時等、ユーザが指示する情報をマイクロコンピュータ１０に送る。
【００３３】
一時着信メロディ格納部１２は、携帯端末１で着信メロディを演奏するためにサーバ４より受信した着信メロディを一時的に格納する。この一時着信メロディ格納部１２は、少なくとも着信メロディ１曲分のデータを格納できる容量とする。
【００３４】
画像表示部１６は、画像表示手段としての機能を持ち、例えば、モノクロ又はカラー表示可能な液晶ディスプレイ等であるが、特に液晶ディスプレイに限定されるものではない。
【００３５】
送受信部１７は送受信手段としての機能を持ち、アンテナ１８と接続され、マイクロコンピュータ１０からの制御により、無線通信による各種データの送受信を行う。
【００３６】
着信メロディ再生部１５は、着信メロディ再生手段としての機能を持ち、例えば、アンプや小型スピーカ等により構成される。また、上記スピーカ以外に出力端子を設け、外部のアンプやスピーカと接続し、外部の機器から音声を出力するようにしても良い。
【００３７】
アンテナ１８は、送受信部１７による各種データの送受信の際に送受信部１７から受け取った信号を無線電波として送出する。これによりアンテナ１８は、付近の無線基地局２と無線で接続し無線電波を送受信する。
【００３８】
本実施形態に係る携帯端末１は、図５に示す従来の携帯端末２０と比較すると、着信メロディ格納部１１、及び着信メロディ一覧格納部１３を有する点が異なる。
【００３９】
着信メロディ格納部１１は、マイクロコンピュータ１０と接続されており、マイクロコンピュータ１０の処理に応じてデータの入出力がされる。着信メロディ格納部１１は、例えば半導体メモリやハードディスクなどにより構成され、着信メロディのデータを記憶する記憶手段としての機能を持つ。
【００４０】
着信メロディ一覧格納部１３は、どの着信メロディがどこに保存されているかを記録するものである。
【００４１】
次に、本実施形態にかかる着信メロディ保存システムの動作処理について図３及び図５を用いて説明する。図３は、本実施形態におけるタイムチャートである。図３おいて、縦の矢印は時間の経過を示し、斜めの矢印は携帯端末１、ネットワークセンタ３、サーバ４、着信メロディ配信サイト６それぞれにおけるデータの流れを示す。図５は、本実施形態に係る動作処理を示すフローチャートである。
【００４２】
まず、図３のStep１において、携帯端末１は、ユーザによりキー入力部１４から入力された着信メロディ配信要求を受けると（図５、ステップＳ１０）、マイクロコンピュータ１０の処理により送受信部１７を介して、最寄りの無線基地局２と接続する。次に、無線基地局２はネットワークセンタ３とネットワーク５を介して着信メロディ配信サイト６に接続される。接続が確立されると、携帯端末１は着信メロディ配信サイト６に対して着信メロディの配信を要求する（図５、ステップＳ１１）。
【００４３】
次に、図３のStep２において、着信メロディ配信サイト６は、携帯端末１の配信要求に応じて、着信メロディをネットワーク５を介してネットワークセンタ３に送信する（図５、ステップＳ１２）。Step３において、ネットワークセンタ３は携帯端末１に以下のメッセージを送信する（図５、ステップＳ１３）。
・着信メロディのデータを全てサーバに保存する
・着信メロディのデータを全てサーバに保存し、かかるデータの一部を端末にも保存する
・着信メロディのデータを全て端末に保存する
・着信メロディのデータを全て端末及びサーバに保存する
【００４４】
なお、「・着信メロディのデータを全てサーバに保存し、かかるデータの一部を端末にも保存する」を選択すると、サーバに接続して確認する必要なく保存されている着信メロディがどのような曲であるか知ることができ、また、サーバから着信メロディのデータをダウンロードしている間に、端末に保存した一部のメロディを再生することによって、ダウンロードが終了されるのを待たずに再生を始めることが可能となる。
【００４５】
また、「・着信メロディのデータを全て端末及びサーバに保存する」を選択すると、例えば端末のデータが故障等により消滅した場合でも、サーバに保存した着信メロディのデータをバックアップデータとして利用することが出来る。
【００４６】
Step４において、携帯端末１はネットワークセンタ３から送られた上記メッセージを表示し、ユーザからの指示を求める。Step５において、ネットワークセンタ３はユーザの指示に従って、着信メロディを携帯端末１又はサーバ４に送信する（図５、ステップＳ１４）。そして、携帯端末１又はサーバ４は着信メロディを保存する。ただし、携帯端末１に保存することを選択した時、携帯端末１の記憶部分（図２の着信メロディ格納部１１）の容量が足りない場合、着信メロディ一覧を表示し、サーバにそのまま保存するか、サーバの着信メロディと交換するかを選択できるようにする。
【００４７】
Step６において、ネットワークセンタ３は携帯端末１に着信メロディのダウンロードが終了したことを知らせる（図５、ステップＳ１５）。携帯端末１は、着信メロディ一覧を更新し、着信メロディ一覧格納部１３に保存する（図５、ステップＳ１６）。以上で、着信メロディを保存する手順は終了する。
【００４８】
上記実施形態により、携帯端末１が着信メロディ配信サイト６にアクセスし、着信メロディのダウンロード要求を行うと、かかる着信メロディをサーバ４に保存するか、携帯端末１に保存するか、又は着信メロディの一部を携帯端末１に保存し着信メロディのすべてをサーバ４に保存するかどうかを、ユーザが選択できる。外部記憶手段であるサーバに記憶することで、携帯端末１は記憶容量を増加することなく多くの着信メロディを利用することが出来る。
【００４９】
次に、本発明の他の実施形態に係る保存した着信メロディを再生するシステムの動作処理について図４及び図６を用いて説明する。図４は、本実施形態におけるタイムチャートである。図６は、本実施形態に係る動作処理を示すフローチャートである。まず携帯端末１は、着信メロディを再生する必要がある時（図６、ステップＳ２０）、マイクロコンピュータ１０の処理により着信メロディ一覧格納部１３に格納されている着信メロディ一覧を参照し（図６、ステップＳ２１）、サーバ４からダウンロードする必要があるかどうかを判断する。
【００５０】
上記着信メロディを再生する必要がある時、とは、例えばユーザによりキー入力部１４から着信メロディの再生を要求する旨が入力された時や、携帯端末１に着信があったため着信メロディの再生をする必要があった時等である。
【００５１】
サーバ４からダウンロードする必要があるかどうかは、再生すべき着信メロディの格納場所による。着信メロディが携帯端末１に格納されている場合は（図６、ステップＳ２２／Ｙｅｓ）、着信メロディ格納部１１に格納されている着信メロディを再生すれば良いので（図６、ステップＳ２７）、ダウンロードする必要はない。着信メロディのデータの一部が携帯端末１に格納されている場合は（図６、ステップＳ２２／Ｙｅｓ、Ｓ２３／Ｎｏ）、かかる一部の着信メロディを再生する（図６、ステップＳ２４）。
【００５２】
着信メロディが携帯端末１に格納されていなかった場合（図６、ステップＳ２２／Ｎｏ）又は、着信メロディのデータの一部のみ格納されていた場合は（図６、ステップＳ２３／Ｎｏ）、携帯端末１は送受信部１７を介して最寄りの無線基地局２と接続される。次に、無線基地局２は、ネットワークセンタ３を介してサーバ４に接続される。
【００５３】
接続が確立すると、図４のStepＴ１において、携帯端末１はサーバ４に対して着信メロディのダウンロードを要求する。次に、図４のStepＴ２において、サーバ４は、携帯端末１のダウンロード要求を受けて着信メロディをネットワークセンタ３を介して携帯端末１に送信する（図６、ステップＳ２５）。
【００５４】
次に、携帯端末１ではネットワークセンタ３から送られた着信メロディを受信し、マイクロコンピュータ１０は受信した着信メロディを一時着信メロディ格納部１２に保管する（図６、ステップＳ２６）。
【００５５】
最後に、マイクロコンピュータ１０は着信メロディ再生部１５に対し一時着信メロディ格納部１２に保管されている着信メロディを再生するように処理を行う（図６、ステップＳ２７）。
【００５６】
上記実施形態により、着信メロディのデータの保存先を、携帯端末１若しくは外部記憶手段であるサーバ４のいずれかを選択できるため、携帯端末１のデータ記憶容量を増加せず、多くの発着信・送受信時データを利用することが出来る。また、携帯端末１に保存しておけば、通信料の低減にもなる。
【００５７】
次に、本発明の他の実施形態について説明する。本実施形態のシステム構成は、図１及び図２の通りであるが、着信メロディを携帯端末１に保存する動作処理についてさらに工夫したことを特徴とする。
【００５８】
着信メロディ一覧格納部１３に保存されている着信メロディ一覧に、その着信メロディの使用回数も記録しておき、定期的（ユーザ設定可能）に、使用頻度の高い着信メロディを携帯端末に移動することが考え得る。かかる定期保存の機能は、ユーザが設定可能とすることも考え得る。着信メロディの保存場所をサーバ４から携帯端末１に移動する際、携帯端末１の着信メロディ格納部１１の容量が足りない場合は、着信メロディ格納部１１に保存されている着信メロディのうち使用頻度が最も低い着信メロディをサーバに移動し、空き容量を作ることも考え得る。
【００５９】
上記実施形態により、着信メロディの使用頻度によって携帯端末１内の着信メロディを管理するため、使用頻度が低い着信メロディにより着信メロディ格納部１１の容量が足りなくなるという問題を回避できる。
【００６０】
尚、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００６１】
以上、本発明を好適な実施の形態に基づき具体的に説明したが、本発明は上記のものに限定されるものではなく、その要旨を逸脱しない範囲で種々変更可能であることは言うまでもない。
【図面の簡単な説明】
【００６２】
【図１】本発明の実施形態に係る着信メロディ保存システムの構成図である。
【図２】本発明の実施形態に係る携帯端末１のブロック構成図である。
【図３】本発明の実施形態に係るシステムの動作処理を示すタイムチャートである。
【図４】本発明の実施形態に係るシステムの動作処理を示すタイムチャートである。
【図５】本発明の実施形態に係る動作処理を示すフローチャートである。
【図６】本発明の実施形態に係る動作処理を示すフローチャートである。
【図７】従来の着信メロディ保存・再生システムの構成図である。
【図８】従来の携帯端末２０のブロック構成図である。
【符号の説明】
【００６３】
１、２０    携帯端末
２    無線基地局
３    ネットワークセンタ
４    サーバ
５    ネットワーク
６    着信メロディ配信サイト
１０、２２    マイクロコンピュータ
１１    着信メロディ格納部
１２、２３    一時着信メロディ格納部
１３    着信メロディ一覧格納部
１４、２４    キー入力部
１５、２５    着信メロディ再生部
１６、２６    画像表示部
１７、２７    送受信部
１８、２８    アンテナ
【図１】
2008109226.tif 000003
【図２】
2008109226.tif 000004
【図３】
2008109226.tif 000005
【図４】
2008109226.tif 000006
【図５】
2008109226.tif 000007
【図６】
2008109226.tif 000008
【図７】
2008109226.tif 000009
【図８】
2008109226.tif 000010